(57)【要約】【課題】流体を流し込む容器に対して安定的に支持することが可能なじょうごを提供する。【解決手段】じょうご１００は、流体を貯める貯水部１０１と、容器１５０の挿入孔１５１に差し込むことが可能な形状を有する注ぎ口１０２と、注ぎ口１０２の周囲において貯水部１０１の外周面に形成され、注ぎ口１０２と同一方向に延び、かつ、注ぎ口１０２を挿入孔１５１に差し込んだときに挿入孔１５１を取り囲むように形成されているスタンド１０３と、からなる。スタンド１０３は、注ぎ口１０２を挿入孔１５１に差し込んだときに、その先端が容器１５０の外側表面に接触することにより、じょうご１００を容器１５０に対して支持する。【選択図】図２
0003144391.tif 000002
【実用新案登録請求の範囲】
【請求項１】
外側に突出した挿入孔を有する容器の内部に流体を流し込む際に用いるじょうごであって、
流体を貯める貯水部と、
前記貯水部と前記流体が通過可能であるように連通し、前記挿入孔に差し込むことが可能な形状を有する注ぎ口と、
前記注ぎ口の周囲において前記貯水部の外周面に形成され、前記注ぎ口と同一方向に延び、かつ、前記注ぎ口を前記挿入孔に差し込んだときに前記挿入孔を取り囲むように形成されているスタンドと、
を備え、
前記スタンドは、前記注ぎ口を前記挿入孔に差し込んだときに、その先端が前記容器の外側表面に接触することにより、前記じょうごを前記容器に対して支持するものであるじょうご。
【請求項２】
外側に突出した挿入孔を有する容器の内部に流体を流し込む際に用いるじょうごであって、
流体を貯める貯水部と、
前記貯水部と前記流体が通過可能であるように連通し、前記挿入孔に差し込むことが可能な形状を有する注ぎ口と、
前記注ぎ口の周囲において前記貯水部の外周面に形成され、前記注ぎ口と同一方向に延び、かつ、前記注ぎ口を前記挿入孔に差し込んだときに前記挿入孔を取り囲むように形成されているスタンドと、
を備え、
前記スタンドは、前記注ぎ口を前記挿入孔に差し込んだときに、その先端が前記容器の外側表面に接触しない長さを有するものであるじょうご。
【請求項３】
前記注ぎ口を前記挿入孔に差し込んだときに前記挿入孔が前記貯水部の外周面に接する位置において、前記貯水部の前記外周面には防水シールが取り付けられていることを特徴とする請求項１または２に記載のじょうご。
【考案の詳細な説明】
【技術分野】
【０００１】
本考案はじょうごに関する。
【背景技術】
【０００２】
容器の内部に流体を流し込む際に（例えば、湯たんぽに湯を入れる際に）、従来からじょうごが用いられている。
【０００３】
従来から用いられているじょうごは、一般的には、ほぼ半球状の貯水部と、この貯水部と流体が通過可能であるように連通し、貯水部から突出した形状を有する注ぎ口と、から構成されている。
【０００４】
このじょうごを用いて容器の内部に流体を流し込む際には、注ぎ口を容器の口に差し込み、じょうごの貯水部に流体を注げば、流体は貯水部から注ぎ口を通って、容器の中に流れ込む。
【考案の開示】
【考案が解決しようとする課題】
【０００５】
従来のじょうごは、注ぎ口を容器の口に差し込んだだけの状態で使用されていたため、容器に対して不安定であることは避けられなかった。このため、じょうごが容器の口に対して傾斜してしまうことが多々あり、そのような場合には、貯水部の中に貯められていた流体がじょうごの外部に流れ出したり、あるいは、貯水部の中に注ぐべき流体が貯水部の中に入らずに貯水部の外側に注がれてしまったりすることがあった。
【０００６】
本考案は以上のような従来のじょうごにおける問題点に鑑みてなされたものであり、流体を流し込む容器に対して安定的に支持することが可能なじょうごを提供することを目的とする。
【課題を解決するための手段】
【０００７】
以下に、「考案の実施の形態」において使用される参照符号を用いて、上述の課題を解決するための手段を説明する。これらの参照符号は、「実用新案登録請求の範囲」の記載と「考案の実施の形態」の記載との間の対応関係を明らかにするためにのみ付加されたものであり、「実用新案登録請求の範囲」に記載されている考案の技術的範囲の解釈に用いるべきものではない。
【０００８】
上記の目的を達成するため、本考案は、第一の態様として、外側に突出した挿入孔（１５１）を有する容器（１５０）の内部に流体を流し込む際に用いるじょうご（１００）であって、流体を貯める貯水部（１０１）と、前記貯水部（１０１）と前記流体が通過可能であるように連通し、前記挿入孔（１５１）に差し込むことが可能な形状を有する注ぎ口（１０２）と、前記注ぎ口（１０２）の周囲において前記貯水部（１０１）の外周面に形成され、前記注ぎ口（１０２）と同一方向に延び、かつ、前記注ぎ口（１０２）を前記挿入孔（１５１）に差し込んだときに前記挿入孔（１５１）を取り囲むように形成されているスタンド（１０３）と、を備え、前記スタンド（１０３）は、前記注ぎ口（１０２）を前記挿入孔（１５１）に差し込んだときに、その先端が前記容器（１５０）の外側表面に接触することにより、前記じょうご（１００）を前記容器（１５０）に対して支持するものであるじょうご（１００）を提供する。
【０００９】
さらに、本考案は、第二の態様として、外側に突出した挿入孔（１５１）を有する容器（１５０）の内部に流体を流し込む際に用いるじょうご（２００）であって、流体を貯める貯水部（１０１）と、前記貯水部（１０１）と前記流体が通過可能であるように連通し、前記挿入孔（１５１）に差し込むことが可能な形状を有する注ぎ口（１０２）と、前記注ぎ口（１０２）の周囲において前記貯水部（１０１）の外周面に形成され、前記注ぎ口（１０２）と同一方向に延び、かつ、前記注ぎ口（１０２）を前記挿入孔（１５１）に差し込んだときに前記挿入孔（１５１）を取り囲むように形成されているスタンド（１０３ａ）と、を備え、前記スタンド（１０３ａ）は、前記注ぎ口（１０２）を前記挿入孔（１５１）に差し込んだときに、その先端が前記容器（１５０）の外側表面に接触しない長さを有するものであるじょうご（２００）を提供する。
【００１０】
また、本考案に係るじょうご（３００）においては、前記注ぎ口（１０２）を前記挿入孔（１５１）に差し込んだときに前記挿入孔（１５１）が前記貯水部（１０１）の外周面に接する位置において、前記貯水部（１０１）の前記外周面には防水シール（３０１）が取り付けられていることが好ましい。
【考案の効果】
【００１１】
本考案の第一の態様に係るじょうごによれば、注ぎ口を容器の挿入孔に差し込んだときに、スタンドの先端が容器の外側表面に接触する。すなわち、スタンドは容器の外側表面上に立った状態になる。このため、じょうごは、注ぎ口が挿入孔に差し込まれることにより注ぎ口において容器に対して支持されていることに加えて、スタンドが容器の外側表面上に立つことによっても容器に対して支持されていることになる。このため、じょうごは容器に対して安定的に支持されることが可能である。
【００１２】
このため、じょうごが容器の挿入孔に対して傾斜してしまうことを防止することが可能になり、じょうごが容器に対して傾斜することにより、貯水部の中に貯められていた流体がじょうごの外部に流れ出したり、あるいは、貯水部の中に注ぐべき流体が貯水部の中に入らずに貯水部の外側に注がれてしまうことを防止することができる。
【００１３】
本考案の第二の態様に係るじょうごによれば、じょうごが容器の挿入孔に対して傾斜したとしても、スタンドは、注ぎ口を挿入孔に差し込んだときに、挿入孔を取り囲むように形成されているため、じょうごがある程度傾斜した時点において、スタンドが挿入孔の外壁に当たる。このため、じょうごの傾斜の程度は従来のじょうごと比較して極めて小さいものとなるため、じょうごが傾いたとしても、貯水部に貯えられた流体が貯水部から流れ出すことを防止することができる。すなわち、第二の態様に係るじょうごによれば、第一の態様に係るじょうごと比較して、じょうごの傾斜を防止する機能は劣るものの、十分に使用に耐える程度にじょうごを容器に対して安定的に支持することが可能である。
【００１４】
また、じょうごに防水シールを設けることにより、流体が容器に入りきらなかった場合であっても、貯水部の外周面と容器の挿入孔との間が防水シールでシールされているため、流体が貯水部の外周面と挿入孔との間から漏れでることはなく、余剰の流体は貯水部に蓄積される。このため、容器が既に流体で充填されていることが判明し、このような場合には、貯水部に蓄積されている余剰の流体を排水することにより、流体をじょうごの外部に漏らすことなく、容器を流体で充填することが可能である。
【考案を実施するための最良の形態】
【００１５】
（第一の実施形態）
図１は本考案の第一の実施形態に係るじょうご１００とじょうご１００を用いて流体を注入する容器１５０の斜視図であり、図２はじょうご１００の使用時におけるじょうご１００と容器１５０の部分的な縦断面図である。
【００１６】
図１及び図２に示すように、容器１５０（例えば、湯たんぽ）には外側（図１及び図２においては上方）に突出した挿入孔１５１を有している。
【００１７】
挿入孔１５１は円筒形状をなしており、外周面には雄ネジが形成されている。容器１５０の内部に流体（例えば、湯）を入れた後、内周面に雌ネジが形成されているキャップ（図示せず）で挿入孔１５１を塞ぐ。
【００１８】
本実施形態に係るじょうご１００は容器１５０の内部に流体を流し込むために使用される。
【００１９】
図１及び図２に示すように、じょうご１００は、流体を貯めるほぼ半球状の貯水部１０１と、貯水部１０１と流体が通過可能であるように連通し、容器１５０の挿入孔１５１に差し込むことが可能な形状を有する注ぎ口１０２と、注ぎ口１０２の周囲において貯水部１０１の外周面に形成され、注ぎ口１０２と同一方向に延びるスタンド１０３と、を備えている。
【００２０】
注ぎ口１０２は貯水部１０１の最下端位置から下方に向かって延びている。注ぎ口１０２はその先端に近くなるにつれて横断面の半径が小さくなるような先細の形状をなしている。
【００２１】
スタンド１０３は注ぎ口１０２と同心の円筒形状をなしている。
【００２２】
スタンド１０３は、注ぎ口１０２を容器１５０の挿入孔１５１に差し込んだときに、挿入孔１５１を取り囲むように、挿入孔１５１の周囲に位置する。
【００２３】
さらに、注ぎ口１０２を容器１５０の挿入孔１５１に差し込んだときに、スタンド１０３はその先端（図１及び図２においては下端）が容器１５０の外側表面に接触することにより、じょうご１００を容器１５０に対して安定的に支持している。
【００２４】
本実施形態に係るじょうご１００は以下のようにして使用される。
【００２５】
まず、容器１５０の挿入孔１５１からキャップを外す。
【００２６】
次いで、じょうご１００の注ぎ口１０２を容器１５０の挿入孔１５１に差し込む。この際、スタンド１０３の先端が容器１５０の外側表面に接触するため、じょうご１００は容器１５０に対して安定的に支持される。
【００２７】
次いで、流体をじょうご１００の貯水部１０１に流し込む。貯水部１０１に流し込まれた流体は貯水部１０１から注ぎ口１０２を経て容器１５０の内部に注入される。
【００２８】
本実施形態に係るじょうご１００によれば、以下のような効果を奏する。
【００２９】
本実施形態に係るじょうご１００によれば、注ぎ口１０２を容器１５０の挿入孔１５１に差し込んだときに、スタンド１０３の先端（図１及び図２においては下端）が容器１５０の外側表面に接触する。すなわち、スタンド１０３は容器１５０の外側表面上に立った状態になる。
【００３０】
このため、じょうご１００は、注ぎ口１０２が挿入孔１５１に差し込まれることにより注ぎ口１０２において容器１５０に対して支持されていることに加えて、スタンド１０３が容器１５０の外側表面上に立つことによっても容器１５０に対して支持されていることになる。このため、じょうご１００は容器１５０に対して安定的に支持されることが可能である。
【００３１】
このため、じょうご１００が容器１５０の挿入孔１５１に対して傾斜してしまうことを防止することが可能になり、じょうご１００が容器１５０に対して傾斜することにより、貯水部１０１の中に貯められていた流体がじょうご１００の外部に流れ出したり、あるいは、貯水部１０１の中に注ぐべき流体が貯水部１０１の中に入らずに貯水部１０１の外側に注がれてしまうことを防止することができる。
【００３２】
なお、本実施形態に係るじょうご１００は上記の構造に限定されるものではなく、種々の改変が可能である。
【００３３】
例えば、本実施形態に係るじょうご１００においては、貯水部１０１はほぼ半球状に形成されているが、貯水部１０１の形状は半球には限定されない。内部に流体を貯えることができる形状である限りにおいて、貯水部１０１は任意の形状とすることができる。
【００３４】
また、本実施形態に係るじょうご１００においては、注ぎ口１０２は円筒形状に近い先細のテーパ形状をなしているが、注ぎ口１０２の形状はこれには限定されない。容器１５０の挿入孔１５１に差し込むことができる形状である限りにおいて、注ぎ口１０２は任意の形状とすることができる。
【００３５】
また、本実施形態に係るじょうご１００においては、スタンド１０３は円筒形状をなすものとして構成されているが、スタンド１０３の形状は円筒形状には限定されない。スタンド１０３が容器１５０の挿入孔１５１を取り囲み、かつ、容器１５０の外側表面に接するものである限りにおいて、スタンド１０３は任意の形状とすることができる。例えば、スタンド１０３の横断面を多角形その他の任意の閉じた形状とすることができる。
【００３６】
また、スタンド１０３はその横断面が円、多角形その他の閉じた形状であるような形状とすることは必ずしも必要ではなく、相互に隙間を開けて形成された２以上の棒状のものとして構成することも可能である。
【００３７】
（第二の実施形態）
図３は本考案の第二の実施形態に係るじょうご２００の使用時におけるじょうご２００と容器１５０の部分的な縦断面図である。
【００３８】
本実施形態に係るじょうご２００は、第一の実施形態に係るじょうご１００と比較して、スタンド１０３に代えてスタンド１０３ａを備えている。この点を除いて、本実施形態に係るじょうご２００は第一の実施形態に係るじょうご１００と同一の構造を有している。このため、第一の実施形態に係るじょうご１００と同一の構成要素については同一の参照符号を用いて示す。
【００３９】
第一の実施形態に係るじょうご１００におけるスタンド１０３は、注ぎ口１０２を容器１５０の挿入孔１５１に差し込んだときに、スタンド１０３の先端（図１及び図２においては下端）が容器１５０の外側表面に接触するように構成されている。
【００４０】
これに対して、本実施形態に係るじょうご２００においては、スタンド１０３ａは、注ぎ口１０２を容器１５０の挿入孔１５１に差し込んだときに、その先端が容器１５０の外側表面に接触しないような長さを有するものとして構成されている。
【００４１】
すなわち、図３に示すように、スタンド１０３ａの先端は容器１５０の外側表面に接触しないため、注ぎ口１０２を容器１５０の挿入孔１５１に差し込んだときに、スタンド１０３ａは容器１５０の外側表面上に立つことはない。
【００４２】
このため、じょうご２００は容器１５０の挿入孔１５１に対して傾斜することがあり得る。
【００４３】
ただし、たとえ、じょうご２００が容器１５０の挿入孔１５１に対して傾斜したとしても、スタンド１０３ａは、注ぎ口１０２を挿入孔１５１に差し込んだときに、挿入孔１５１を取り囲むように形成されているため、じょうご２００がある程度傾斜した時点において、スタンド１０３ａが挿入孔１５１の外壁に当たる。このため、じょうご２００の傾斜の程度は従来のじょうごと比較して極めて小さい。このため、じょうご２００が傾いたとしても、貯水部１０１に貯えられた流体が貯水部１０１から流れ出すことを防止することができる。
【００４４】
このように、本実施形態に係るじょうご２００によれば、第一の実施形態に係るじょうご１００と比較して、じょうごの傾斜を防止する機能としては劣るものの、十分に使用に耐える程度にじょうご２００を容器１５０に対して安定的に支持することが可能である。
【００４５】
（第三の実施形態）
図４は本考案の第三の実施形態に係るじょうご３００の使用時におけるじょうご３００と容器１５０の部分的な縦断面図である。
【００４６】
本実施形態に係るじょうご３００は、第一の実施形態に係るじょうご１００と比較して、防水シール３０１を追加的に備えている。この点を除いて、本実施形態に係るじょうご３００は第一の実施形態に係るじょうご１００と同一の構造を有している。このため、第一の実施形態に係るじょうご１００と同一の構成要素については同一の参照符号を用いて示す。
【００４７】
防水シール３０１は、例えば、シリコンゴムなどの柔軟性を有する素材でつくられており、リング形状をなしている。
【００４８】
防水シール３０１は、注ぎ口１０２を容器１５０の挿入孔１５１に差し込んだときに挿入孔１５１が貯水部１０１の外周面に接する位置において、貯水部１０１の外周面１０１上に取り付けられている。
【００４９】
このため、図４に示すように、本実施形態に係るじょうご３００の注ぎ口１０２を容器１５０の挿入孔１５１に差し込むと、防水シール３０１を介して、貯水部１０１の外周面と挿入孔１５１との間がシールされる。
【００５０】
本実施形態に係るじょうご３００によれば、以下のような効果を奏する。
【００５１】
本実施形態に係るじょうご３００の貯水部１０１に流体を流し込み、注ぎ口１０２を介して容器１５０の内部に流体を注入していった場合、容器１５０が流体で充填されたことに気づかずに流体の注入を続けることがある。この場合、流体が容器１５０に入りきらないが、貯水部１０１の外周面と容器１５０の挿入孔１５１との間が防水シール３０１でシールされているため、流体が貯水部１０１の外周面と挿入孔１５１との間から漏れでることはなく、余剰の流体は貯水部１０１に蓄積される。
【００５２】
このため、容器１５０が既に流体で充填されていることが判明する。このような場合には、貯水部１０１に蓄積されている余剰の流体を排水（例えば、吸い出し用ポンプなどの器具を用いて）することにより、流体をじょうご３００の外部に漏らすことなく、容器１５０を流体で充填することが可能である。
【００５３】
なお、本実施形態に係るじょうご３００においては、防水シール３０１を第一の実施形態に係るじょうご１００に対して適用したが、防水シール３０１を第二の実施形態に係るじょうご２００に対して適用することも可能である。
【図面の簡単な説明】
【００５４】
【図１】図１は本考案の第一の実施形態に係るじょうごと当該じょうごを用いて流体を注入する容器の斜視図である。
【図２】図２は本考案の第一の実施形態に係るじょうごの使用時における当該じょうごと容器の部分的な縦断面図である。
【図３】図３は本考案の第二の実施形態に係るじょうごの使用時における当該じょうごと容器の部分的な縦断面図である。
【図４】図４は本考案の第三の実施形態に係るじょうごの使用時における当該じょうごと容器の部分的な縦断面図である。
【符号の説明】
【００５５】
１００  本考案の第一の実施形態に係るじょうご
１０１  貯水部
１０２  注ぎ口
１０３  スタンド
１５０  容器
１５１  挿入孔
２００  本考案の第二の実施形態に係るじょうご
３００  本考案の第三の実施形態に係るじょうご
３０１  防水シール
【図１】
0003144391.tif 000003
【図２】
0003144391.tif 000004
【図３】
0003144391.tif 000005
【図４】
0003144391.tif 000006